(57)【要約】【課題】ＰＳＴＮ全体の改造を最小限に抑え、サービスの中断を回避しながらしながら導入することができ、かつ、セキュアなゲート装置間のＶｏＩＰ通信ならびにゲート装置及び電話間の相互接続を可能とする通信端末間相互接続装置を提供する。【解決手段】アクセスライン４０からＱ．９３１信号とＲＴＰのメディアストリームを分離し、通信相手がゲート装置の場合はＲＴＰのメディアストリームをＩＰネットワーク１４に入力するとともに、ダミーのベアラ音声信号をＱ．９３１信号に重畳して交換機１５Ａ（Ｂ）に入力し、通信相手が電話の場合はメディアストリームをＣＯＤＥＣ３１ｅによりベアラ音声信号に変換し、Ｑ．９３１信号と重畳して交換機に入力するゲート機能（ゲート装置収容）をＳＰレス交換機１５Ａ（Ｂ）へ付加することにより、従来の交換機との入出力を行う。【選択図】      図４
2004363765.tif 000002
【特許請求の範囲】
【請求項１】
呼制御に電話網の呼制御プロトコル、音声信号伝送にＩＰプロトコルを用いてＶｏＩＰ通信を行うゲート装置ユーザ間、あるいはゲート装置ユーザと電話ユーザ間の相互接続を行う通信端末間相互接続方法であって、
それぞれの信号が重畳されるアクセスラインから電話網の呼制御信号と音声のメディアストリームとを分離する過程と、
通信相手がゲート装置ユーザの場合は、前記音声のメディアストリームをＩＰネットワークに出力してダミーのベアラ音声信号を前記電話網の呼制御信号に重畳し、交換機へ入力する過程と、
通信相手が電話ユーザの場合は、前記音声のメディアストリームをベアラ音声信号に変換し、前記電話網の呼制御信号と重畳して前記交換機へ入力する過程と、
を有することを特徴とする通信端末間相互接続方法。
【請求項２】
前記電話網の呼制御プロトコルは、Ｑ．９３１プロトコルであることを特徴とする請求項１に記載の通信端末間相互接続方法。
【請求項３】
前記音声信号伝送は、ＲＴＰプロトコルであることを特徴とする請求項１または請求項２に記載の通信端末間相互接続方法。
【請求項４】
呼制御にＱ．９３１プロトコル、音声信号伝送にＩＰプロトコルを用いてＶｏＩＰ通信を行うゲート装置ユーザ間の相互接続を行う通信端末間相互接続装置であって、
ゲート装置とのアクセスラインから入力される音声のメディアストリームを、スイッチコントローラの制御により、メディア伝送路もしくはベアラ音声信号伝送路へ出力するスイッチと、
（１）呼設定時、発信元となるゲート装置から該ゲート装置のＩＰネットワーク側のアドレスとポートを含むアドレス情報を受信して前記スイッチに対し一時的に前記ベアラ音声信号伝送路への接続を指示し、（２）着信先のゲート装置から該着信先ゲート装置のＩＰネットワーク側のアドレスとポートを含むアドレス情報を受信して前記スイッチに対し前記メディア伝送路への接続を指示し、（３）前記いずれかのゲート装置による切断を契機に前記スイッチを中立状態に設定するスイッチコントローラと、
を備えたことを特徴とする通信端末間相互接続装置。
【請求項５】
呼制御にＱ．９３１プロトコル、音声信号伝送にＩＰプロトコルを用いてＶｏＩＰ通信を行うゲート装置ユーザと電話ユーザとの相互接続を行う端末間相互接続装置であって、
ゲート装置とのアクセスラインから入力される音声のメディアストリームを、スイッチコントローラの制御により、メディア伝送路もしくはベアラ音声信号伝送路へ出力するスイッチと、
（１）呼設定時、発信元となるゲート装置から該ゲート装置のＩＰネットワーク側のアドレスとポートを含むアドレス情報を受信し、前記スイッチに対し一時的に前記ベアラ音声信号伝送路への接続を指示し、（２）着信先の電話から応答を受信し、着信先が電話端末ユーザであることを認識して前記ベアラ音声信号伝送路のアドレス情報を前記発信元のゲート装置へ通知して前記スイッチに対して前記ベアラ音声信号伝送路への接続を指示し、（３）前記ゲート装置もしくは電話の切断を契機に前記スイッチを中立状態に設定するスイッチコントローラと、
を備えたことを特徴とする通信端末間相互接続装置。
【請求項６】
呼制御にＱ．９３１プロトコル、音声信号伝送にＩＰプロトコルを用いてＶｏＩＰ通信を行うゲート装置ユーザと電話ユーザとの相互接続を行う通信端末間相互接続装置であって、
ゲート装置とのアクセスラインから入力される音声のメディアストリームを、スイッチコントローラの制御によりメディア伝送路、もしくはベアラ音声信号伝送路へ接続するスイッチと、
（１）発信元となる電話からの発呼を受信し、発信元が電話ユーザであることを認識して前記スイッチに対して前記ベアラ音声信号伝送路への接続を指示すると共に、（２）前記ベアラ音声信号伝送路のアドレス情報を設定して着信先となるゲート装置への送信を指示し、（３）着信先のゲート装置から、該着信先ゲート装置のＩＰネットワーク側のアドレスとポートを含むアドレス情報を受信し、当該アドレス情報を削除して発信元の電話への送信を指示し、（４）前記ゲート装置あるいは電話による切断を契機に前記スイッチを中立状態に設定するスイッチコントローラと、
を備えたことを特徴とする通信端末間相互接続装置。
【請求項７】
それぞれの信号が重畳されるアクセスラインからＱ．９３１信号と音声のメディアストリームとを分離するスプリッタと、
前記アクセスラインの伝送方式に対応して前記音声のメディアストリームの変復調を行い、前記スイッチを介してＩＰネットワークへ出力するモデムと、
前記音声のメディアストリームとベアラ音声信号の相互変換を行うコーディックと、
前記スイッチコントローラを介して出力されるＱ．９３１信号に、前記コーディックにより出力されるベアラ音声信号を重畳し、交換機との間で入出力を行うコンバータと、
を備えたことを特徴とする請求項４から６のいずれか１項に記載の通信端末間相互接続装置。
【請求項８】
呼制御にＱ．９３１プロトコル、音声信号伝送にＩＰプロトコルを用いてＶｏＩＰ通信を行うゲート装置ユーザ間の相互接続を行う通信端末間相互接続装置に用いられるプログラムであって、
呼設定時、発信元となるゲート装置から該ゲート装置のＩＰネットワーク側のアドレスとポートを含むアドレス情報を受信し、ゲート装置とのアクセスラインから入力された音声のメディアストリームが出力される前記メディア伝送路とベアラ音声信号伝送路への接続を行うスイッチに対し、一時的に前記ベアラ音声信号伝送路への接続を指示するステップと、
着信先のゲート装置から該着信先ゲート装置のＩＰネットワーク側のアドレスとポートを含むアドレス情報を受信して前記スイッチに対し前記メディア伝送路への接続を指示するステップと、
前記いずれかのゲート装置による切断を契機に前記スイッチを中立状態に設定するステップと、
をコンピュータに実行させる通信端末間相互接続プログラム。
【請求項９】
呼制御にＱ．９３１プロトコル、音声信号伝送にＩＰプロトコルを用いてＶｏＩＰ通信を行うゲート装置ユーザと電話ユーザとの相互接続を行う端末間相互接続装置に用いられるプログラムであって、
呼設定時、発信元となるゲート装置から該ゲート装置のＩＰネットワーク側のアドレスとポートを含むアドレス情報を受信し、ゲート装置とのアクセスラインから入力された音声のメディアストリームが出力されるメディア伝送路とベアラ音声信号伝送路への接続を行うスイッチに対して一時的に前記ベアラ音声信号伝送路への接続を指示するステップと、
着信先の電話から応答を受信し、着信先が電話端末ユーザであることを認識して前記ベアラ音声信号伝送路のアドレス情報を前記発信元のゲート装置へ通知して前記スイッチに対して前記ベアラ音声信号伝送路への接続を指示するステップと、
前記ゲート装置もしくは電話の切断を契機に前記スイッチを中立状態に設定するステップと、
をコンピュータに実行させる通信端末間相互接続プログラム。
【請求項１０】
呼制御にＱ．９３１プロトコル、音声信号伝送にＩＰプロトコルを用いてＶｏＩＰ通信を行うゲート装置ユーザと電話ユーザとの相互接続を行う通信端末間相互接続装置に用いられるプログラムであって、
発信元となる電話からの発呼を受信し、発信元が電話ユーザであることを認識し、ゲート装置とのアクセスラインから入力された音声のメディアストリームが出力されるメディア伝送路とベアラ音声信号伝送路への接続を行うスイッチに対し、前記ベアラ音声信号伝送路への接続を指示すると共に、前記ベアラ音声信号伝送路のアドレス情報を設定して着信先となるゲート装置への送信を指示するステップと、
着信先のゲート装置から、該着信先ゲート装置のＩＰネットワーク側のアドレスとポートを含むアドレス情報を受信し、当該アドレス情報を削除して発信元の電話への送信を指示するステップと、
前記ゲート装置あるいは電話による切断を契機に前記スイッチを中立状態に設定するステップと、
をコンピュータに実行させる通信端末間相互接続プログラム。
【発明の詳細な説明】
【０００１】
【発明の属する技術分野】
本発明は、呼制御にＱ．９３１プロトコル、音声信号伝送にＩＰプロトコルを用いてＶｏＩＰ通信を行うゲート装置ユーザ間、あるいはゲート装置ユーザと電話ユーザ間の相互接続を行う、通信端末間相互接続方法および装置、ならびにプログラムに関する。
【０００２】
【従来の技術】
ＩＰ（Ｉｎｔｅｒｎｅｔ  Ｐｒｏｔｏｃｏｌ）通信を公衆電話網（以下、ＰＳＴＮ：Ｐｕｂｌｉｃ  Ｓｗｉｔｃｈｅｄ  Ｔｅｌｅｐｈｏｎｅ  Ｎｅｔｗｏｒｋ）に適用するために、従来、サービスに応じてＩＰネットワークとＰＳＴＮを切替える技術が知られている（特許文献１参照）。この技術によれば、ＰＳＴＮに接続するために、ＩＰネットワークのゲートウエイによりＩＰネットワークの呼がＰＳＴＮの呼にエミュレートされる。
【０００３】
また、局と加入者間にアダプタを配置し、そのアダプタがＩＳＤＮとネットワークの両方にインタフェースを持つことにより、アダプタ間でＣＩＤの送受信を実行する技術も知られている（特許文献２参照）。ここでは、ＩＳＤＮ等で用いられる呼制御プロトコルであるＱ．９３１が使用される。
【０００４】
一方、呼制御信号とＶｏＩＰの音声信号とを分離し、呼制御信号のみを処理して通話路（ＳＰ：Ｓｐｅｅｃｈ  Ｐａｔｈ）制御を行わない交換機（以下、ＳＰレス交換機という）を使用し、呼制御には電話網の呼制御プロトコルであるＱ．９３１を、音声信号伝送にはＲＴＰ（Ｒｅａｌ  Ｔｉｍｅ  Ｔｒａｎｓｐｏｒｔ  Ｐｒｏｔｏｃｏｌ）を用いてＶｏＩＰ（Ｖｏｉｃｅ  ｏｖｅｒ  ＩＰ）通信を行う方式も提案されている。このＳＰレス交換機は、ＶｏＩＰ通信を行うゲート装置を収容するが、信号制御上は従来の加入者交換機と同様に、ユーザ側（ゲート装置側）は、Ｑ．９３１、中継区間はＩＳＵＰ（ＩＳＤＮ  Ｕｓｅｒ  Ｐａｒｔ）プロトコルを処理する。
上記したように、ＳＰレス交換機は従来の加入者交換機とほぼ同様な信号処理を行うため、既存の加入者交換機に対して、通話路およびその制御部（装置および制御プラグラム）を取り除くなどの改造を加えることにより実現可能である。
【０００５】
【特許文献１】
特表２００２−５３２９６３号公報
【特許文献２】
特開２００３−８７７６号公報
【０００６】
【発明が解決しようとする課題】
ところで、上記したＶｏＩＰ通信を公衆電話網（以下、ＰＳＴＮ：Ｐｕｂｌｉｃ  Ｓｗｉｔｃｈｅｄ  Ｔｅｌｅｐｈｏｎｅ  Ｎｅｔｗｏｒｋ）に適用しようとした場合、ゲート装置を収容するための加入者交換機のＳＰレス交換機への改造に加え、以下に列挙する項目の改造が必要となる。
（１）ＰＳＴＮの中継交換機も、呼接続に対して通話路を接続していく方式であるため、ＳＰレス交換機と同様に、通話路を接続しない改造を施す必要がある。
（２）ＰＳＴＮ内には、呼接続に関する接続前トーキなどを送出する音声ガイダンス装置も多種存在し、これらは全て通話路に音声信号を送出するため、上記したＶｏＩＰ通信方式に適用するには、音声信号をＩＰパケット化し、ＲＴＰで送出可能なように改造、または、新設などの対処が必要である。
【０００７】
上記した（１）（２）は技術的には解決可能であるが、ＰＳＴＮでは、交換機やガイダンス装置の数が膨大であり、従って、上記の改造には多大な時間と労力を要し、サービスの中断を余儀なくされる。
従って、加入者交換機、中継交換機、および音声ガイダンス装置などＰＳＴＮを構成する各装置の改造を最小限とするための適用法が最重要設計課題となる。また、ＰＳＴＮへの適用では、全てのユーザがゲート装置を導入するわけではないため、ゲート装置ユーザと、一般の電話（アナログ、ＩＳＤＮ：Ｉｎｔｅｇｒａｔｅｄ  Ｓｅｒｖｉｃｅ  Ｄｉｇｉｔａｌ  Ｎｅｔｗｏｒｋ）ユーザとの相互接続法も課題となる。
【０００８】
本発明は上記事情に鑑みてなされたものであり、ＰＳＴＮ全体の改造を最小限に抑え、サービスの中断を回避しながら導入することができるとともに、セキュアなゲート装置間のＶｏＩＰ通信ならびにゲート装置及び電話間の相互接続を可能とする通信端末間相互接続方法および装置、ならびにプログラムを提供することを目的とする。
【０００９】
【課題を解決するための手段】
上記した課題を解決するために本発明は、呼制御に電話網の呼制御プロトコル、音声信号伝送にＩＰプロトコルを用いてＶｏＩＰ通信を行うゲート装置ユーザ間、あるいはゲート装置ユーザと電話ユーザ間の相互接続を行う通信端末間相互接続方法であって、それぞれの信号が重畳されるアクセスラインから電話網の呼制御信号と音声のメディアストリームとを分離する過程と、通信相手がゲート装置ユーザの場合は、前記音声のメディアストリームをＩＰネットワークに出力してダミーのベアラ音声信号を前記電話網の呼制御信号に重畳し、交換機へ入力する過程と、通信相手が電話ユーザの場合は、前記音声のメディアストリームをベアラ音声信号に変換し、前記電話網の呼制御信号と重畳して前記交換機へ入力する過程と、を有することを特徴とする。
また、本発明において、前記電話網の呼制御プロトコルは、Ｑ．９３１プロトコルであることを特徴とする。
また、本発明において、前記音声信号伝送は、ＲＴＰプロトコルであることを特徴とする。
【００１０】
上記した課題を解決するために本発明は、呼制御にＱ．９３１プロトコル、音声信号伝送にＩＰプロトコルを用いてＶｏＩＰ通信を行うゲート装置ユーザ間の相互接続を行う通信端末間相互接続装置であって、ゲート装置とのアクセスラインから入力される音声のメディアストリームを、スイッチコントローラの制御により、メディア伝送路もしくはベアラ音声信号伝送路へ出力するスイッチと、（１）呼設定時、発信元となるゲート装置から該ゲート装置のＩＰネットワーク側のアドレスとポートを含むアドレス情報を受信して前記スイッチに対し一時的に前記ベアラ音声信号伝送路への接続を指示し、（２）着信先のゲート装置から該着信先ゲート装置のＩＰネットワーク側のアドレスとポートを含むアドレス情報を受信して前記スイッチに対し前記メディア伝送路への接続を指示し、（３）前記いずれかのゲート装置による切断を契機に前記スイッチを中立状態に設定するスイッチコントローラと、を備えたことを特徴とする。
【００１１】
また、本発明は、呼制御にＱ．９３１プロトコル、音声信号伝送にＩＰプロトコルを用いてＶｏＩＰ通信を行うゲート装置ユーザと電話ユーザとの相互接続を行う端末間相互接続装置であって、ゲート装置とのアクセスラインから入力される音声のメディアストリームを、スイッチコントローラの制御により、メディア伝送路もしくはベアラ音声信号伝送路へ出力するスイッチと、（１）呼設定時、発信元となるゲート装置から該ゲート装置のＩＰネットワーク側のアドレスとポートを含むアドレス情報を受信し、前記スイッチに対し一時的に前記ベアラ音声信号伝送路への接続を指示し、（２）着信先の電話から応答を受信し、着信先が電話端末ユーザであることを認識して前記ベアラ音声信号伝送路のアドレス情報を前記発信元のゲート装置へ通知して前記スイッチに対して前記ベアラ音声信号伝送路への接続を指示し、（３）前記ゲート装置もしくは電話の切断を契機に前記スイッチを中立状態に設定するスイッチコントローラと、
を備えたことを特徴とする。
【００１２】
また、本発明は、呼制御にＱ．９３１プロトコル、音声信号伝送にＩＰプロトコルを用いてＶｏＩＰ通信を行うゲート装置ユーザと電話ユーザとの相互接続を行う通信端末間相互接続装置であって、ゲート装置とのアクセスラインから入力される音声のメディアストリームを、スイッチコントローラの制御によりメディア伝送路、もしくはベアラ音声信号伝送路へ接続するスイッチと、（１）発信元となる電話からの発呼を受信し、発信元が電話ユーザであることを認識して前記スイッチに対して前記ベアラ音声信号伝送路への接続を指示すると共に、（２）前記ベアラ音声信号伝送路のアドレス情報を設定して着信先となるゲート装置への送信を指示し、（３）着信先のゲート装置から、該着信先ゲート装置のＩＰネットワーク側のアドレスとポートを含むアドレス情報を受信し、当該アドレス情報を削除して発信元の電話への送信を指示し、（４）前記ゲート装置あるいは電話による切断を契機に前記スイッチを中立状態に設定するスイッチコントローラと、を備えたことを特徴とする。
【００１３】
また、本発明において、それぞれの信号が重畳されるアクセスラインからＱ．９３１信号と音声のメディアストリームとを分離するスプリッタと、前記アクセスラインの伝送方式に対応して前記音声のメディアストリームの変復調を行い、前記スイッチを介してＩＰネットワークへ出力するモデムと、前記音声のメディアストリームとベアラ音声信号の相互変換を行うコーディックと、前記スイッチコントローラを介して出力されるＱ．９３１信号に、前記コーディックにより出力されるベアラ音声信号を重畳し、交換機との間で入出力を行うコンバータと、を備えたことを特徴とする。
【００１４】
上記した課題を解決するために本発明は、呼制御にＱ．９３１プロトコル、音声信号伝送にＩＰプロトコルを用いてＶｏＩＰ通信を行うゲート装置ユーザ間の相互接続を行う通信端末間相互接続装置に用いられるプログラムであって、呼設定時、発信元となるゲート装置から該ゲート装置のＩＰネットワーク側のアドレスとポートを含むアドレス情報を受信し、ゲート装置とのアクセスラインから入力された音声のメディアストリームが出力される前記メディア伝送路とベアラ音声信号伝送路への接続を行うスイッチに対し、一時的に前記ベアラ音声信号伝送路への接続を指示するステップと、着信先のゲート装置から該着信先ゲート装置のＩＰネットワーク側のアドレスとポートを含むアドレス情報を受信して前記スイッチに対し前記メディア伝送路への接続を指示するステップと、前記いずれかのゲート装置による切断を契機に前記スイッチを中立状態に設定するステップと、をコンピュータに実行させることを特徴とする。
【００１５】
また、本発明は、呼制御にＱ．９３１プロトコル、音声信号伝送にＩＰプロトコルを用いてＶｏＩＰ通信を行うゲート装置ユーザと電話ユーザとの相互接続を行う端末間相互接続装置に用いられるプログラムであって、呼設定時、発信元となるゲート装置から該ゲート装置のＩＰネットワーク側のアドレスとポートを含むアドレス情報を受信し、ゲート装置とのアクセスラインから入力された音声のメディアストリームが出力されるメディア伝送路とベアラ音声信号伝送路への接続を行うスイッチに対して一時的に前記ベアラ音声信号伝送路への接続を指示するステップと、着信先の電話から応答を受信し、着信先が電話端末ユーザであることを認識して前記ベアラ音声信号伝送路のアドレス情報を前記発信元のゲート装置へ通知して前記スイッチに対して前記ベアラ音声信号伝送路への接続を指示するステップと、前記ゲート装置もしくは電話の切断を契機に前記スイッチを中立状態に設定するステップと、をコンピュータに実行させることを特徴とする。
【００１６】
また、本発明は、呼制御にＱ．９３１プロトコル、音声信号伝送にＩＰプロトコルを用いてＶｏＩＰ通信を行うゲート装置ユーザと電話ユーザとの相互接続を行う通信端末間相互接続装置に用いられるプログラムであって、発信元となる電話からの発呼を受信し、発信元が電話ユーザであることを認識し、ゲート装置とのアクセスラインから入力された音声のメディアストリームが出力されるメディア伝送路とベアラ音声信号伝送路への接続を行うスイッチに対し、前記ベアラ音声信号伝送路への接続を指示すると共に、前記ベアラ音声信号伝送路のアドレス情報を設定して着信先となるゲート装置への送信を指示するステップと、着信先のゲート装置から、該着信先ゲート装置のＩＰネットワーク側のアドレスとポートを含むアドレス情報を受信し、当該アドレス情報を削除して発信元の電話への送信を指示するステップと、前記ゲート装置あるいは電話による切断を契機に前記スイッチを中立状態に設定するステップと、をコンピュータに実行させることを特徴とする。
【００１７】
【発明の実施の形態】
以下、図面を使用して本発明の一実施の形態について説明する。図１は本発明が実施されるＶｏＩＰ音声通信システムの構成を示すブロック図である。
本実施の形態は、ＶｏＩＰ通信におけるユーザ〜ネットワーク間の呼制御手順に、従来から電話で利用されているプロトコルであるＱ．９３１プロトコルを適用し、Ｑ．９３１プロトコルを終端するゲート装置１１Ａ、１１Ｂにおいて、ポートの開閉やプライベートアドレスとＩＰネットワーク側のアドレス変換を行う。すなわち、ＰＳＴＮ１３を通して呼制御信号を伝送し、ＩＰネットワーク１４を通して音声信号を伝送する。
【００１８】
図１において、ネットワークは、共通線信号方式により呼制御信号を伝送するＰＳＴＮ（ＳＳ＃７ネットワーク）１３と、ＶｏＩＰの音声信号を伝送するＩＰネットワーク１４から構成される。ＰＳＴＮ１３（公衆電話網）には、従来通りユーザを収容するが、呼制御信号のみを処理し、通話路制御は行わないＳＰレス交換機１５Ａ、１５Ｂが接続される。本交換機１５Ａ、１５Ｂは、信号制御上、従来の交換機と同様に、ユーザ側はＱ．９３１プロトコル、交換機間はＩＳＵＰ（ＩＳＤＮ  Ｕｓｅｒ  Ｐａｒｔ）プロトコルを処理する。また、ベアラ伝送用にＲＴＰプロトコルを用いる。なお、ユーザのアクセスラインとしては、伝送上、物理的に分離した回線としても、多重化した一本のアクセスラインとしてもよい。
【００１９】
ゲート装置１１Ａ、１１Ｂは、ユーザ側に設置される装置であり、その内部構成を図２に示す。なお、図２はゲート装置１１Ａの内部構成であるが、ゲート装置１１Ｂも同一構成である。ゲート装置１１Ａは、Ｑ．９３１コントローラ２１ａ、ＳＩＰプロキシ２１ｂ、ファイアーウォール２１ｃ（Ｆ／Ｗ）で構成される。
【００２０】
図２において、Ｑ．９３１コントローラ２１ａは、ＳＰレス交換機１５Ａとの間のＱ．９３１プロトコルを終端し、次の制御を行う。すなわち、ＳＩＰプロキシ２１ｂと連携してＱ．９３１プロトコルとＳＩＰプロトコルの相互変換を行う。ここで、ＳＩＰ（Ｓｅｓｓｉｏｎ  Ｉｎｉｔｉａｔｉｏｎ  Ｐｒｏｔｏｃｏｌ）とは、ゲート装置１１ＡとＶｏＩＰ電話機機Ａ１、Ａ２との間における通信プロトコルである。
そして、図示せぬ変換表を参照して電話番号とプライベートアドレスとの相互変換を行い、後述するＦ／Ｗ２１ｃの制御を行う。
【００２１】
ＳＩＰプロキシ２１ｂは、ＶｏＩＰ端末Ａ１、Ａ２とのＳＩＰプロトコルを終端し、Ｑ．９３１コントローラ２１ａと連携してネットワーク側とＱ．９３１プロトコルによる呼制御を行う。Ｆ／Ｗ２１ｃは、Ｑ．９３１コントローラ２１ａからの指示により、ポートの開閉やプライベートアドレスとＩＰネットワーク１４側とのアドレス変換を行う。アドレス変換は、１つのＩＰネットワーク１４側アドレスに、ｎ個のプライベートアドレスがマッピングできるＮＡＰＴ（Ｎｅｔｗｏｒｋ  Ａｄｄｒｅｓｓ  Ｐｏｒｔ  Ｔｒａｎｓｌａｔｉｏｎ）機能、あるいはＩＰマスカレード機能を有する。
【００２２】
図３は、本発明を適用したネットワークＶｏＩＰ通信システムの一実施形態を示すブロック図である。図３において、図１に示す符号と同一符号が付されたブロックは、図１に示すブロックのそれと同じ名称、機能を持つものとする。
図１同様、ＳＰレス交換機１５Ａ、１５Ｂに、それぞれ、ユーザＡ、Ｂのゲート装置１１Ａ、１１Ｂ、そして、ＩＳＤＮ電話Ａ３、Ｂ３が収容されている。また、ゲート装置１１Ａ、１１ＢとＳＰレス交換機１５Ａ、１５Ｂでの伝送は、Ｑ．９３１信号をＡＤＳＬ（ＡＤＳＬモデム２０ａ、２０ｂ）などで伝送されるメディアストリーム（ＲＴＰ）と重畳したアクセスラインを使用するものとする。
なお、アクセスライン４０がＡＤＳＬ以外のｘＤＳＬ（Ｄｉｇｉｔａｌ  Ｓｕｂｓｃｒｉｂｅｒ  Ｌｉｎｅ）やオプティカルファイバーの場合には個々の伝送方式は異なるものの、以降に述べる方式の原理は同一であり、本発明はこれら伝送方式にも同様に適用可能である。
【００２３】
図４に、ＳＰレス交換機の内部構成の一例を示す。ここではＳＰレス交換機１５Ａの内部構成であるが、ＳＰレス交換機１５Ｂも同一構成である。
ＳＰレス交換機１５Ａは、ゲート装置収容部３１Ａと、ＰＳＴＮ交換部３２Ａで構成され、そのうち、ゲート装置収容部３１Ａは、主に、スプリッタ３１ａ、ＡＤＳＬモデム３１ｂ、スイッチコントローラ３１ｃ、スイッチ３１ｄ、ＣＯＤＥＣ３１ｅ（Ｃｏｄｅｒ−Ｄｅｃｏｄｅｒ：コーディック）、コンバータ３１ｆで構成される。なお、ＰＳＴＮ交換部３２Ａは、ＰＳＴＮに使用される従来の交換機である。
【００２４】
スプリッタ３１ａは、アクセスライン４０に重畳されたＱ．９３１信号とＲＴＰメディアストリームとを分離し、また、アクセスライン４０ヘの出力時には両者を重畳する装置である。アクセスライン４０がＡＤＳＬの場合、スプリッタ３１ａは、Ｑ．９３１信号とＡＤＳＬ信号を分離、もしくは重畳する。ＡＤＳＬモデム３１ｂは、アクセスライン４０の伝送方式に従い、ここではＡＤＳＬ信号への変調および復調を行う。
スイッチコントローラ３１ｃは、Ｑ．９３１信号により識別される通信相手のメディア種別に応じてメディアストリームの経路（メディア伝送路およびベアラ音声信号伝送路）切替え指示を行う。
【００２５】
スイッチ３１ｄは、スイッチコントローラ３１ｃからの指示により、メディア伝送路となるＩＰネットワーク１４とベアラ音声信号伝送路となるＣＯＤＥＣ３１ｅへの切替えを行う。ゲート装置１１Ａ、１１Ｂ同士の接続であっても接続前トーキなどがＰＳＴＮ１３から送出される場合は一時的にベアラ音声信号伝送路となるＣＯＤＥＣ３１ｅ側に接続することで、トーキ等をメディアストリーム（ＲＴＰ）に変換し、ゲート装置１１Ａに伝送する。
ＣＯＤＥＣ３１ｅは、ＲＴＰのメディアストリームとベアラ音声信号との相互変換を行う。また、コンバータ３１ｆは、Ｑ．９３１信号とベアラ音声信号を重畳し、リモートトランク等を収容するハイウェイ・インタフェース（ＨＷ）等、既存の交換機インタフェースで、従来の交換機そのものであるＰＳＴＮ交換部３２Ａと入出力を行う。
【００２６】
以下、図３、図４に示す本発明実施形態の動作について、図５〜図７に示す信号シーケンスを使用して詳細に説明する。なお、以降、Ｑ．９３１信号、またはＩＳＵＰ信号のそれぞれについて＜＞で括って表記することとする。ここでは、Ｑ．９３１信号として、＜Ｓｅｔｕｐ：呼設定＞＜Ｃａｌｌ  Ｐｒｏｃ：呼設定受付＞＜Ａｌｅｒｔ：呼出中＞＜Ｃｏｎｎ：応答＞＜Ｃｏｎｎ  Ａｃｋ：応答確認＞＜Ｄｉｓｃ：切断＞＜Ｒｅｌａｓｅ：解放＞＜Ｒｅｌ  Ｃｏｍ：解放確認＞、ＩＳＵＰ信号として、＜ＩＡＭ：アドレス＞＜ＡＣＭ：アドレス完了＞＜ＣＰＧ：呼経過＞＜ＡＮＭ：応答＞＜ＲＥＬ：切断＞＜ＲＬＣ：復旧完了＞が例示されている。
【００２７】
図５は、ゲート装置間通信の信号シーケンスであり、ここでは、ユーザＡのＶｏＩＰ電話機Ａ１（電話番号＃Ａ１）から、ユーザＢのＶｏＩＰ電話機Ｂ１（電話番号＃Ｂ１）への通信が例示されている。
まず、ＶｏＩＰ電話機Ａ１からＶｏＩＰ電話機Ｂ１に発呼した場合、ゲート装置１１Ａは、アドレス情報を＜Ｓｅｔｕｐ＞のＵＵＩ（Ｕｓｅｒ−Ｕｓｅｒ  Ｉｎｆｏｒｍａｔｉｏｎ）等に設定し、ＳＰレス交換機１５Ａのゲート装置収容部３１Ａを経由して同交換機１５ＡのＰＳＴＮ交換部３２Ａに送信する。図では、アドレス情報として、発信元の電話番号＃Ａ１、発信先の電話番号＃Ｂ１、呼を識別するためのＣａｌｌ−ＩＤの値Ｃｉｄ、ならびに、発信元ゲート装置１１ＡのＩＰネットワーク１４側アドレスＧＡ及びポートｐａが通知されることを示している。
【００２８】
＜Ｓｅｔｕｐ＞の通過を確認したゲート装置収容部３１Ａのスイッチコントローラ３１ｃは、スイッチ制御メッセージによりスイッチ３１ｄをＣＯＤＥＣ３１ｅ側に倒す（ステップＳ１０１）。これによりＡＤＳＬモデム３１ｂ等とＣＯＤＥＣ３１ｅの間にＲＴＰのメディアストリームが伝播することになる。
次に、ＳＰレス交換機１５ＡのＰＳＴＮ交換部３２Ａは、ＰＳＴＮ１３のＳＳ＃７ネットワーク（共通線信号網）を経由してＳＰレス交換機１５ＢのＰＳＴＮ交換部３２Ｂに＜ＩＡＭ＞を送信する。＜ＩＡＭ＞を受信したＰＳＴＮ交換部３２Ｂは、ＳＰレス交換機１５Ｂのゲート装置収容部３１Ｂを経由してゲート装置１１Ｂに＜Ｓｅｔｕｐ＞を送信し、ゲート装置１１Ｂが＜Ｓｅｔｕｐ＞を受信することにより呼が着信する。このとき、ＳＰレス交換機１５Ｂ内のゲート装置収容部３１Ｂのスイッチコントローラ３１ｃは、スイッチ制御メッセージによりスイッチ３１ｄをＣＯＤＥＣ３１ｅ側に倒す（ステップＳ１０２）。なお、この＜ＩＡＭ＞及び＜Ｓｅｔｕｐ＞には、ステップＳ１０１の＜Ｓｅｔｕｐ＞に設定されたアドレス情報が含まれている。
【００２９】
そして、＜Ｓｅｔｕｐ＞を通知されたＳＰレス交換機１５ＡのＰＳＴＮ交換部３２Ａは、ゲート装置収容部３１Ａを通じ、従来の電話と同様に発側のゲート装置１１Ａに対して＜Ｃａｌｌ  Ｐｒｏｃ＞を送出する（ステップＳ１０３）。
一方、＜Ｓｅｔｕｐ＞を受信したゲート装置１１Ｂは、ＳＰレス交換機１５Ｂのゲート装置収容部３１Ｂを経由して同交換機のＰＳＴＮ交換部３２Ｂへ＜Ｃａｌｌ  Ｐｒｏｃ＞を返却する（ステップＳ１０４）。これは、＜ＡＣＭ＞として、ＰＳＴＮ１３の共通線信号網ＳＳ＃７ネットワークを経由してＳＰレス交換機１５ＡのＰＳＴＮ交換部３２Ａに伝達される。そして、従来の電話と同様に、ゲート装置１１ＢからＳＰレス交換機１５Ｂへ、ＳＰレス交換機１５Ａからゲート装置１１Ａへ＜Ａｌｅｒｔ＞が返却される（ステップＳ１０５）。
【００３０】
次に、発信先のＶｏＩＰ電話機Ｂ１が応答すると、ゲート装置１１Ｂは、アドレス情報を＜Ｃｏｎｎ＞のＵＵＩ等に設定し、ＳＰレス交換機１５Ｂのゲート装置収容部３２Ｂを経由してＰＳＴＮ交換部３２Ｂへ送信する（ステップＳ１０６）。
ここでは、アドレス情報として、発信元の電話番号＃Ａ１、発信先の電話番号＃Ｂ１、呼を識別するためのＣａｌｌ−ＩＤの値Ｃｉｄ、ならびに、発信先ゲート装置１１ＢのＩＰネットワーク１４側アドレスＧＢ及びポートｐｂが通知される。この時、＜Ｃｏｎｎ＞の通過を確認したゲート装置収容部３１Ｂのスイッチコントローラ３１ｃは、スイッチ制御メッセージによりメディア伝送路側（ＩＰネットワーク１４側）にスイッチ３１ｄを倒す。これによりＡＤＳＬモデムなど３１ｂからＩＰネットワーク１４に、またその逆方向にＲＴＰのメディアストリームが伝播することになる。
【００３１】
また、ＳＰレス交換機１５Ｂが受信した＜Ｃｏｎｎ＞は、ＳＰレス交換機１５Ａからゲート装置１１Ａへ通知される。この＜Ｃｏｎｎ＞には、ステップＳ１０６の＜Ｃｏｎｎ＞内のアドレス情報が設定されている。このとき、ＳＰレス交換機１５Ａ内のゲート装置収容部３１Ａのスイッチコントローラ３１ｃは、アドレス情報内にＩＰアドレスが設定されていることにより、発信先（ＶｏＩＰ端末Ｂ１）がゲート装置収容ユーザであることを認識し、スイッチ制御メッセージによりメディア伝送路側（ＩＰネットワーク１４側）にスイッチ３１ｄを倒す。そして、ゲート装置１１ＡはＳＰレス交換機１５Ａに対して＜Ｃｏｎｎ  Ａｃｋ＞を返す（ステップＳ１０７）。
以上で、設定したアドレスＧＡ／ポートｐａ及びアドレスＧＢ／ポートｐｂのセッションを用いてＲＴＰのメディアストリームにて音声通話が行われる（ステップＳ１０８）。但し、この場合、ゲート装置収容部３１Ａ及び３１Ｂ間のベアラ伝送回線を伝播する信号は無音声のダミーである。
【００３２】
そして、ＶｏＩＰ端末Ａ１の切断（ＶｏＩＰ端末Ｂ１でも可）を契機に、ゲート装置１１ＡからＳＰレス交換機１５Ａへ＜Ｄｉｓｃ＞が送信される（ステップＳ１０９）。以降、従来の電話と同様に、ＳＰレス交換機１５Ａから＜ＲＥＬ＞がＰＳＴＮ１３のＳＳ＃７ネットワークを経由してＳＰレス交換機１５Ｂへ送信され、ＳＰレス交換機１５Ｂ経由でゲート装置１１Ｂに向けて＜Ｄｉｓｃ＞が送信される。
次に、ＳＰレス交換機１５ＡのＰＳＴＮ交換部３２Ａは、同交換機のゲート装置収容部３１Ａを経由してゲート装置１１Ａへ＜Ｒｅｌｅａｓｅ＞を送信する。
このとき、ゲート装置収容部３１Ａのスイッチコントローラ３１ｃは、スイッチ制御メッセージによりスイッチ３１ｄをＣＯＤＥＣ３１ｅ側、メディア伝送路側（ＩＰネットワーク１４側）どちらにも倒れていない中立状態にする（ステップＳ１１０）。また、ゲート装置１１ＡはＳＰレス交換機１５Ａへ＜Ｒｅｌ  Ｃｏｍ＞を返す。
【００３３】
一方、＜Ｄｉｓｃ＞を受信したゲート装置１１Ｂは、ＳＰレス交換機１５Ｂのゲート装置収容部３１Ｂを経由してＰＳＴＮ交換部３２Ｂへ＜Ｒｅｌｅａｓｅ＞を送信する。このとき、ゲート装置収容部３１Ｂのスイッチコントローラ３１ｃは、スイッチ制御メッセージによりスイッチ３１ｄをＣＯＤＥＣ３１ｅ側、メディア伝送路側（ＩＰネットワーク１４側）どちらにも倒れていない中立状態にする（ステップＳ１１１）。最後に、ＳＰレス交換機１５Ｂはゲート装置１１Ｂへ＜Ｒｅｌ  Ｃｏｍ＞を返す。
【００３４】
図６は、ゲート装置発〜電話着の信号シーケンスを示す図であり、ここでは、発側のゲート装置にＶｏＩＰ端末Ａ１（電話番号＃Ａ１）、着側の電話としてＩＳＤＮ電話機Ｂ３（電話番号＃Ｂ３）が例示されている。
まず、ＶｏＩＰ端末Ａ１からＩＳＤＮ電話機Ｂ３に発呼した場合、ゲート装置１１Ａは、アドレス情報を＜Ｓｅｔｕｐ＞のＵＵＩ等に設定し、図５のＳ１０１同様、ＳＰレス交換機１５Ａのゲート装置収容部３１Ａを経由して同交換機のＰＳＴＮ交換部３２Ａに送信する。アドレス情報は、発信元の電話番号＃Ａ１、発信先の電話番号＃Ｂ３、呼を識別するためのＣａｌｌ−ＩＤの値Ｃｉｄ、ならびに、発信元ゲート装置１１ＡのＩＰネットワーク１４側アドレスＧＡ及びポートｐａからなる。この時、＜Ｓｅｔｕｐ＞の通過を確認したゲート装置収容部３１Ａのスイッチコントローラ３１ｃは、スイッチ制御メッセージによりスイッチ３１ｄをＣＯＤＥＣ３１ｅ側に倒し、ＡＤＳＬモデム３１ｂとＣＯＤＥＣ３１ｅの間にＲＴＰのメディアストリームが流れる設定にする（ステップＳ２０１）。
【００３５】
次に、ＳＰレス交換機１５ＡのＰＳＴＮ交換部３２Ａは、ＰＳＴＮ１３のＳＳ＃７ネットワークを経由してＳＰレス交換機１５ＢのＰＳＴＮ交換部３２Ｂに＜ＩＡＭ＞を送信する。ＳＰレス交換機１５Ｂは、＜Ｓｅｔｕｐ＞により、ＩＳＤＮ電話機Ｂ３に着信する（ステップＳ２０２）。
そして、＜Ｓｅｔｕｐ＞を通知されたＳＰレス交換機１５ＡのＰＳＴＮ交換部３２Ａは、ゲート装置収容部３１Ａを通じ従来の電話と同様に発側のゲート装置１１Ａに対して＜Ｃａｌｌ  Ｐｒｏｃ＞を送出する（ステップＳ２０３）。
なお、ステップＳ２０２の＜ＩＡＭ＞及び＜Ｓｅｔｕｐ＞には、ステップＳ２０１の＜Ｓｅｔｕｐ＞に設定されたアドレス情報が含まれている。
【００３６】
一方、＜Ｓｅｔｕｐ＞を受信したＩＳＤＮ電話機Ｂ３は、ＳＰレス交換機１５ＢのＰＳＴＮ交換部３２Ｂへ＜Ｃａｌｌ  Ｐｒｏｃ＞を返却する（ステップＳ２０４）。これは、＜ＡＣＭ＞として、ＰＳＴＮ１３のＳＳ＃７ネットワークを経由してＳＰレス交換機１５ＡのＰＳＴＮ交換部３２Ａに伝達される。
そして、従来の電話と同様に、ＩＳＤＮ電話機Ｂ３からＳＰレス交換機１５Ｂへ、ＳＰレス交換機１５Ａからゲート装置１１Ａへ＜Ａｌｅｒｔ＞が返却される（ステップＳ２０５）。
【００３７】
着信先のＩＳＤＮ電話機Ｂ３が応答すると、ＩＳＤＮ電話機Ｂ３からＳＰレス交換機１５Ｂへ＜Ｃｏｎｎ＞が送信される。これはまた、ＳＰレス交換機１５Ａからゲート装置１１Ａへ通知される。この際、ＳＰレス交換機１５Ａ内のゲート装置収容部３１Ａのスイッチコントローラ３１ｃは、着信先のＩＰアドレスが＜Ｃｏｎｎ＞内に設定されていないことにより、発信先（ＩＳＤＮ電話機Ｂ３）が電話ユーザ（非ゲート装置ユーザ）であることを認識する。そして、ＣＯＤＥＣ３１ｅのアドレス情報を＜Ｃｏｎｎ＞のＵＵＩに設定し、ゲート装置１１Ａへ送信する（ステップＳ２０６）。
図に示す例では、ＣＯＤＥＣ３１ｅのアドレス情報として、発信元の電話番号＃Ａ１、発信先の電話番号＃Ｂ３、呼を識別するためのＣａｌｌ−ＩＤの値Ｃｉｄ、ならびに、発信元ゲート装置収容部３１ＡのＣＯＤＥＣアドレスＧＸ及びポートｐｘが通知されていることを示している。
【００３８】
次に、＜Ｃｏｎｎ＞を受信したゲート装置１１Ａは、ＳＰレス交換機１５Ａへ＜Ｃｏｎｎ  Ａｃｋ＞を返す（ステップＳ２０７）。以上のセッション設定により、アドレスＧＡ／ポートｐａ及びアドレスＧＸ／ポートｐｘのセッションを用いたＲＴＰのメデイアストリームとベアラ音声信号がＳＰレス交換機１５ＡのＣＯＤＥＣ３１ｅにより変換され、音声通話が行われる（ステップＳ２０８）。
そして、ＶｏＩＰ端末Ａ１の切断を契機に、ゲート装置１１ＡからＳＰレス交換機１５Ａへ＜Ｄｉｓｃ＞が送信される（ステップＳ２０９）。以降、従来の電話と同様に、ＳＰレス交換機１５Ａから＜ＲＥＬ＞がＰＳＴＮ１３のＳＳ＃７ネットワークを経由してＳＰレス交換機１５Ｂへ送信され、ＳＰレス交換機１５Ｂ経由でＩＳＤＮ電話機Ｂ３に向けて＜Ｄｉｓｃ＞が送信される。
【００３９】
ここで、ＳＰレス交換機１５ＡのＰＳＴＮ交換部３２Ａは、同交換機のゲート装置収容部３１Ａを経由してゲート装置１１Ａへ＜Ｒｅｌｅａｓｅ＞を送信する。この際、ゲート装置収容部３１Ａのスイッチコントローラ３１ｃは、スイッチ制御メッセージによりスイッチ３１ｄをＣＯＤＥＣ３１ｅ側、メディア伝送路側（ＩＰネットワーク１４側）のどちらにも倒れていない中立状態に設定する（ステップＳ２１０）。
このことにより、ＣＯＤＥＣ３１ｅが、発信ユーザから、あるいはＩＰネットワーク１４からも切り離され、結果セキュリティが保たれ、外部からの攻撃がなくなる。この後、ゲート装置１１Ａは、ＳＰレス交換機１５Ａへ＜Ｒｅｌ  Ｃｏｍ＞を返す。
最後に従来の電話と同様に、＜Ｄｉｓｃ＞を受信したＩＳＤＮ電話機Ｂ３は、ＳＰレス交換機１５Ｂへ＜Ｒｅｌｅａｓｅ＞を送信し、ＳＰレス交換機１５Ｂは、ＩＳＤＮ電話機Ｂ３へ＜Ｒｅｌ  Ｃｏｍ＞を返す（ステップＳ２１１）。
【００４０】
図７は、電話発〜ゲート装置着の信号シーケンスを示す図であり、発側の電話としてＩＳＤＮ電話Ａ３（電話番号＃Ａ３）、着側のゲート装置にＶｏＩＰ端末Ｂ１（電話番号＃Ｂ１）が例示されている。
まず、ＩＳＤＮ電話機Ａ３からＶｏＩＰ端末＃Ｂ１に発呼した場合、ＩＳＤＮ電話機Ａ３は、ＳＰレス交換機１５ＡのＰＳＴＮ交換部３２Ａに対して＜Ｓｅｔｕｐ＞を送信する（ステップＳ３０１）。
【００４１】
ＳＰレス交換機１５ＡのＰＳＴＮ交換部３２Ｂは、ＰＳＴＮ１３のＳＳ＃７ネットワークを経由してＳＰレス交換機１５ＢのＰＳＴＮ交換部３２Ｂに＜ＩＡＭ＞を送信する。同交換機のゲート装置収容部３１Ｂはゲート装置１１Ｂに＜Ｓｅｔｕｐ＞を送信し、ゲート装置１１Ｂへ呼が着信する。
この時、ＳＰレス交換機１５Ｂ内のゲート装置収容部３１Ｂのスイッチコントローラ３１ｃは、＜Ｓｅｔｕｐ＞内にＩＰアドレスが設定されていないことにより、発側のＩＳＤＮ電話機Ａ３が電話ユーザであることを認識する。そして、スイッチ制御メッセージによりスイッチ３１ｄをＣＯＤＥＣ３１ｅ側に倒すと共に、ＣＯＤＥＣ３１ｅのアドレス情報を＜Ｓｅｔｕｐ＞のＵＵＩに設定を行いゲート装置１１Ｂへ送信する（ステップＳ３０２）。図では、発信元が電話番号＃Ａ３、発信先が電話番号＃Ｂ１、呼を識別するためのＣａｌｌ−ＩＤの値Ｃｉｄ、ならびに、ゲート装置収容部３１ＢのＣＯＤＥＣ３１ｅのアドレスＧＹ及びポートｐｙが通知されていることを示している。
【００４２】
次に、＜Ｓｅｔｕｐ＞を通知されたＳＰレス交換機１５ＡのＰＳＴＮ交換部３２Ａは、従来の電話と同様にＩＳＤＮ電話機Ａ３に＜Ｃａｌｌ  Ｐｒｏｃ＞を送出する（ステップＳ３０３）。
一方、＜Ｓｅｔｕｐ＞を受信したゲート装置１１Ｂは、ＳＰレス交換機１５Ｂのゲート装置収容部３１Ｂを経由して同交換機のＰＳＴＮ交換部３２Ｂへ＜Ｃａｌｌ  Ｐｒｏｃ＞を返却する（ステップＳ３０４）。これは、＜ＡＣＭ＞として、ＰＳＴＮ１３のＳＳ＃７ネットワークを経由してＳＰレス交換機１５ＢのＰＳＴＮ交換部３２Ｂに伝達される。
【００４３】
次に、従来の電話と同様に、ゲート装置１１ＢからＳＰレス交換機１５Ｂへ、また、ＳＰレス交換機１５ＡからＩＳＤＮ電話機Ａ３へ＜Ａｌｅｒｔ＞が返却される（ステップＳ３０５）。着信先のＶｏＩＰ端末Ｂ１が応答すると、ゲート装置１１Ｂは、図５に示すＳ１０６同様に、アドレス情報を＜Ｃｏｎｎ＞のＵＵＩに設定し、ＳＰレス交換機１５Ｂのゲート装置収容部３１Ｂを経由してＰＳＴＮ交換部３２Ｂへ送信する（ステップＳ３０６）。図では、発信元の電話番号＃Ａ３、発信先の電話番号＃Ｂ１、呼を識別するためのＣａｌｌ−ＩＤの値Ｃｉｄ、ならびに、ゲート装置１１ＢのＩＰネットワーク１４側アドレスＧＢ及びポートｐｂが通知されていることを示している。
但し、この情報は、ＳＰレス交換機１５Ｂ内のゲート装置収容部３１Ｂのスイッチコントローラ３１ｃにてセキュリティ確保のために削除され、ＳＰレス交換機１５ＡからＩＳＤＮ電話機Ａ３へ＜Ｃｏｎｎ＞が通知される。このことにより、ＩＳＤＮ電話機Ａ３は、ＳＰレス交換機１５Ａへ＜Ｃｏｎｎ  Ａｃｋ＞を返す（ステップＳ３０７）。
【００４４】
以上のセッション設定により、アドレスＧＢ／ポートｐｂ及びアドレスＧＹ／ポートｐｙのセッションを用いたＲＴＰのメディアストリームとベアラ音声信号がゲート装置収容部３１ＢのＣＯＤＥＣ３１ｅにより変換され、音声通話が行われる（ステップＳ３０８）。そして、ＩＳＤＮ電話機Ａ３の切断を契機に、ＩＳＤＮ電話機Ａ３からＳＰレス交換機１５Ａへ＜Ｄｉｓｃ＞が送信され（ステップＳ３０９）、以降、従来の電話と同様に、ＳＰレス交換機１５Ａから＜ＲＥＬ＞がＰＳＴＮ１３のＳＳ＃７ネットワークを経由してＳＰレス交換機１５Ｂへ送信され、ＳＰレス交換機１５Ｂ経由でゲート装置１１Ｂに向けて＜Ｄｉｓｃ＞が送信される。
【００４５】
続いて、従来の電話と同様に、ＳＰレス交換機１５ＡのＰＳＴＮ交換部３２Ａは、ＩＳＤＮ電話機Ａ３へ＜Ｒｅｌｅａｓｅ＞を送信し、ＩＳＤＮ電話機Ａ３は、ＳＰレス交換機１５Ａへ＜Ｒｅｌ  Ｃｏｍ＞を返す（ステップＳ３１０）。
また、＜Ｄｉｓｃ＞を受信したゲート装置１１Ｂは、ＳＰレス交換機１５Ｂのゲート装置収容部３１Ｂを経由してＰＳＴＮ交換部３２Ｂへ＜Ｒｅｌｅａｓｅ＞を送信する（ステップＳ３１１）。この際、ゲート装置収容部３１Ｂのスイッチコントローラ３１ｃは、スイッチ制御メッセージによりスイッチ３１ｄをＣＯＤＥＣ３１ｅ側、メディア伝送路側（ＩＰネットワーク１４側）のどちらにも倒れていない中立状態に設定する。このことにより、ＣＯＤＥＣ３１ｅが、着信ユーザから、あるいはＩＰネットワーク１４からも切り離され、結果セキュリティが保たれ、外部からの攻撃がなくなる。この後、ＳＰレス交換機１５Ｂは、ゲート装置１１Ｂへ＜Ｒｅｌ  Ｃｏｍ＞を返す。
【００４６】
以上の動作シーケンスは、あくまで動作の一例であり、ＣＯＤＥＣ３１ｅ側、メディア伝送路側（ＩＰネットワーク１４側）の切替え等には他の変形例があり得る。このため、本発明の主旨を逸脱しない範囲での変更は可能である。
例えば、ＣＯＤＥＣ３１ｅ側とメディア伝送路側（ＩＰネットワーク１４側）の両方に接続してベアラ音声信号とＲＴＰのメディアストリームをミキシングするという利用方法もあり得る。また、接続前トーキ等が交換機から送出される場合は、通信相手がゲート装置、電話のいずれであっても、ガイダンス送出時においては一律ＣＯＤＥＣ３１ｅにスイッチ３１ｄを倒し、ＰＳＴＮ１３のベアラ音声信号伝送路を使用するという方法もあり得る。
【００４７】
以上説明のように本発明によれば、ゲート装置１１Ａ、１１Ｂが持つ機能を既存交換機に影響を与えることなく簡便に収容することが可能となり、また、ゲート装置収容部３１Ａ、３１Ｂによりゲート装置間はもとより、電話との相互接続が可能となる。
なお、図４に示されるゲート装置収容部３１Ａ（Ｂ）は、スプリッタ３１ａ、ＡＤＳＬモデム３１ｂ、スイッチコントローラ３１ｃ、スイッチ３１ｄ、ＣＯＤＥＣ３１ｅ、コンバータ３１ｆのハードウェアコンポーネントを持つものとして説明したが、これらコンポーネントのうち、本発明を実現する上で重要なコンポーネントとなる、スイッチ３１ｄ、スイッチコントローラ３１ｃ、ＣＯＤＥＣ３１ｅは、それぞれで実行される手順をコンピュータ読み取り可能な記録媒体に記録し、この記録媒体に記録されたプログラムをコンピュータシステムに読み込ませ、実行することによっても本発明を実現することができる。ここでいうコンピュータシステムとは、ＯＳや周辺機器等のハードウェアを含む。
【００４８】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４９】
以上、この発明の実施形態につき、図面を参照して詳述してきたが、具体的な構成はこの実施形態に限られるものではなく、この発明の要旨を逸脱しない範囲の設計等も含まれる。
【００５０】
【発明の効果】
以上説明のように本発明によれば、アクセスラインからＱ．９３１信号とＲＴＰのメディアストリームを分離し、通信相手がゲート装置の場合はＲＴＰのメディアストリームをＩＰネットワークに入力するとともに、ダミーのベアラ音声信号をＱ．９３１信号に重畳して交換機に入力し、通信相手が電話の場合はメディアストリームをＣＯＤＥＣによりベアラ音声信号に変換し、Ｑ．９３１信号と重畳して交換機に入力するゲート装置収容部をＰＳＴＮ交換部に付加することにより、従来の交換機との入出力が可能となり、このことにより、稼働している交換機に影響を与えることなく（サービス中断の回避）交換機能を実現することができ、ゲート装置間は勿論のこと、ゲート装置と電話との相互接続を可能とした端末間相互接続装置を提供することができる。
【図面の簡単な説明】
【図１】本発明が実施されるＶｏＩＰ音声通信システムの構成を示すブロック図である。
【図２】図１に示すゲート装置の内部構成例を示すブロック図である。
【図３】本発明を適用したネットワークＶｏＩＰ通信システムの一実施形態を示すブロック図である。
【図４】図３に示すＳＰレス交換機の内部構成例を示すブロック図である。
【図５】本発明実施形態の動作の一例を示すシーケンス図である。
【図６】本発明実施形態の動作の一例を示すシーケンス図である。
【図７】本発明実施形態の動作の一例を示すシーケンス図である。
【符号の説明】
Ａ１、Ａ２、Ｂ１、Ｂ２…ＶｏＩＰ電話機または端末、Ａ３、Ｂ３…ＩＳＤＮ電話機、１１Ａ（Ｂ）…ゲート装置、１３…ＰＳＴＮ、１４…ＩＰネットワーク、１５Ａ（Ｂ）…ＳＰレス交換機、２０ａ（ｂ）…ＡＤＳＬモデム、２１ａ…Ｑ．９３１コントローラ、２１ｂ…ＳＩＰプロキシ、２１ｃ…Ｆ／Ｗ（ファイアーウォール）、３１Ａ（Ｂ）…ゲート装置収容部、３１ａ…スプリッタ、３１ｂ…ＡＤＳＬモデム、３１ｃ…スイッチコントローラ、３１ｄ…スイッチ、３１ｅ…ＣＯＤＥＣ、３１ｆ…コンバータ、３２Ａ（Ｂ）…ＰＳＴＮ交換部、４０…アクセスライン
【図１】
2004363765.tif 000003
【図２】
2004363765.tif 000004
【図３】
2004363765.tif 000005
【図４】
2004363765.tif 000006
【図５】
2004363765.tif 000007
【図６】
2004363765.tif 000008
【図７】
2004363765.tif 000009